(57)【要約】【課題】  空回転を行う圧縮室の吸入口側に吐出側の圧力が加えられて空回転を行う圧  縮室の内部圧力と吐出圧力が同圧になり、回転抵抗を最少化できる容量可変回転圧縮機を提供する。【解決手段】  密閉容器と、該密閉容器内に設けられ、内部に相異なる容積を有する第１圧縮室と第２圧縮室が形成されたハウジングとを備え、２つの圧縮室の内部の圧縮装置を駆動する回転軸の回転方向の変化に応じて、２つの圧縮室のうちいずれか一方において選択的に圧縮動作が行われる容量可変回転圧縮機において、２つの圧縮室のうち空回転を行う側に吐出側の圧力を加える圧力調節装置を備え、圧力調節装置は、２つの圧縮室の外側のハウジングに形成された流路切換室と、２つの圧縮室の各吸入口と流路切換室の両側が連通するように形成される第１及び第２供給流路と、圧縮機の吐出側と流路切換室が連通するように形成される連結流路と、連結流路が２つの供給流路のうちいずれか一方に選択的に連通するように流路切換室内において流路を切り換える弁装置とを備える。【選択図】      図１
2005106049.tif 000002
【特許請求の範囲】
【請求項１】
密閉容器と、
前記密閉容器内に設けられ、内部に相異なる容積を有する第１圧縮室と第２圧縮室が形成されたハウジングとを備え、前記２つの圧縮室の内部の圧縮装置を駆動する回転軸の回転方向の変化に応じて、前記２つの圧縮室のうちいずれか一方において選択的に圧縮動作が行われる容量可変回転圧縮機において、
前記２つの圧縮室のうち空回転を行う側に吐出側の圧力を加える圧力調節装置を備え、前記圧力調節装置は、前記２つの圧縮室の外側の前記ハウジングに形成された流路切換室と、前記２つの圧縮室の各吸入口と前記流路切換室の両側が連通するように形成される第１および第２供給流路と、圧縮機の吐出側と前記流路切換室が連通するように形成される連結流路と、前記連結流路が前記２つの供給流路のうちいずれか一方と選択的に連通するように前記流路切換室内において流路を切り換える弁装置とを備える容量可変回転圧縮機。
【請求項２】
前記弁装置は、前記流路切換室内に進退自在に設けられた弁部材を備えることを特徴とする請求項１に記載の容量可変回転圧縮機。
【請求項３】
前記弁装置は、前記流路切換室の両端の内部にそれぞれ設けられ、中央に通孔が形成された２つの弁座をさらに備えることを特徴とする請求項２に記載の容量可変回転圧縮機。
【請求項４】
前記ハウジングは、内部に前記第１圧縮室が形成された第１ハウジングと、内部に前記第２圧縮室が形成された第２ハウジングと、前記第１ハウジングと前記第２ハウジングとの間に挟まれ、前記２つの圧縮室を仕切る中間板とを備えることを特徴とする請求項１に記載の容量可変回転圧縮機。
【請求項５】
前記第１圧縮室の容量が前記第２圧縮室の容量よりも大きく形成され、前記流路切換室が前記第１ハウジングに形成され、前記流路切換室と前記第２圧縮室の吸入口間を連通させる前記第２供給流路が前記中間板を介して形成されることを特徴とする請求項４に記載の容量可変回転圧縮機。
【請求項６】
前記連結流路は、前記第１ハウジングに形成され、入口が前記密閉容器の内部と連通するように開かれたことを特徴とする請求項５に記載の容量可変回転圧縮機。
【請求項７】
第１及び第２圧縮室と、前記第１及び第２圧縮室に設けられる圧縮装置とを備え、前記２つの圧縮室の内部の圧縮装置を駆動する回転軸の回転方向の変化に応じて前記２つの圧縮室のうちいずれか一方において選択的に圧縮動作が行われる容量可変回転圧縮機の圧力調節装置において、
前記２つの圧縮室のうち空回転を行う側に吐出側の圧力を加える圧力調節装置を備え、前記圧力調節装置は、前記２つの圧縮室の外側に形成される流路切換室と、２つの圧縮室の各吸入口と流路切換室の両側が連通するように形成される第１及び第２供給流路と、密閉容器の内部と流路切換室の中間部分が連通するように形成される連結流路と、流路切換室内において流路を切り換える弁装置とを備えることを特徴とする圧力調節装置。
【請求項８】
前記弁装置は、前記流路切換室の内部に進退自在に形成される弁部材を備えることを特徴とする請求項７に記載の圧力調節装置。
【請求項９】
前記弁装置は、前記流路切換室の両端にそれぞれ形成される第１及び第２弁座をさらに備えることを特徴とする請求項８に記載の圧力調節装置。
【請求項１０】
前記第１及び第２弁座は、中央にそれぞれ通孔が形成されたことを特徴とする請求項９に記載の圧力調節装置。
【請求項１１】
前記ハウジングは、内部に前記第１圧縮室が形成された第１ハウジングと、内部に前記第２圧縮室が形成された第２ハウジングと、前記第１ハウジングと前記第２ハウジングとの間に挟まれ、前記２つの圧縮室を仕切る中間板とを備えることを特徴とする請求項７に記載の圧力調節装置。
【請求項１２】
前記第１圧縮室の容量は、前記第２圧縮室の容量よりも大きく形成されることを特徴とする請求項１１に記載の圧力調節装置。
【請求項１３】
前記流路切換室は、第１ハウジングに形成されることを特徴とする請求項１２に記載の圧力調節装置。
【請求項１４】
前記第２供給流路は、前記中間板に形成され、前記流路切換室と前記第２圧縮室の吸入口を連通させることを特徴とする請求項１３に記載の圧力調節装置。
【請求項１５】
前記連結流路は、前記第１ハウジングに形成されることを特徴とする請求項１４に記載の圧力調節装置。
【請求項１６】
前記連結流路は密閉容器をさらに備え、前記連結流路の入口は前記密閉容器の内部の空間と連通するように開かれたことを特徴とする請求項１５に記載の圧力調節装置。
【発明の詳細な説明】
【技術分野】
【０００１】
本発明は、容量可変回転圧縮機に係り、より詳しくは、２つの圧縮室のうち空回転を行う圧縮室の内部と密閉容器の内部の圧力を同圧にする圧力調節手段を備えた容量可変回転圧縮機に関する。
【背景技術】
【０００２】
近年、空気調和器や冷蔵庫に適用される冷却装置は、冷却能力を可変にして要求条件に合う最適の冷却を行わせられると共に、省エネルギーを図ることを目指し、冷媒圧縮能を可変にできる容量可変圧縮機を採用している。
【０００３】
かかる容量可変圧縮機に関するものとして、米国特許第４,３９７,６１８号公報に開示されたものがある。この公報に開示されている回転圧縮機は、その圧縮容量をベーンのホールドまたは解除により可変にする。前記回転圧縮機は、内部に管状の圧縮室が形成されたケースと、前記ケース内の前記圧縮室の内部に設けられて偏心回転するローリングピストンと、前記ケースの内部に形成され、前記ローリングピストンの外面と接しつつ半径方向に進退運動するベーン(前記米国特許第４,３９７,６１８号公報には“スライド”として記載されている)と、前記ベーンの一側に設けられ、前記ベーンのホールド及び解除を行うベーンホールド装置とを備える。ここで、前記ベーンホールド装置は、ラチェットボルトと、アマチュア及びソレノイドを備える。前記ベーンは、前記ソレノイドにより制御される前記ラチェットボルトの進退運動によりホールドまたは解除を行うことにより、前記回転圧縮機の圧縮容量を変えている。
【０００４】
しかしながら、従来の容量可変回転圧縮機は、前記圧縮動作が、所定期間ベーンをホールドまたは解除することにより制御されるため、圧縮容量を正確に変え難く、所望の吐出圧縮を得ることができないといった不具合があった。
【０００５】
さらに、従来の容量可変回転圧縮機は、前記ベーンのホールドを行うラチェットボルトがベーン側に入り込んで前記ベーンに形成されたロック溝にロックされるようになっているため、圧縮機が動作する時に高速にて進退運動を行う前記ベーンをホールドし難く、信頼性に劣っているといった不具合もあった。
【発明の開示】
【発明が解決しようとする課題】
【０００６】
本発明は上記事情に鑑みてなされたものであり、その目的は、圧縮容量を正確に可変できて所望の吐出圧力を得ることができ、しかも圧縮容器の可変動作を容易に制御することのできる容量可変回転圧縮機を提供するところにある。
【０００７】
本発明の他の空回転を行う圧縮室の内部圧力を密閉容器の内部の圧力吐出圧力と同圧にしてベーンによる加圧及びオイルの流入現象を防ぐことにより、回転抵抗を最少化させることのできる容量可変回転圧縮機を提供するところにある。
【課題を解決するための手段】
【０００８】
上記目的を達成するために、本発明に係る容量可変回転圧縮機は、前記密閉容器内に設けられ、内部に相異なる容積を有する第１圧縮室と第２圧縮室が形成されたハウジングと、を備え、前記２つの圧縮室の内部の圧縮装置を駆動する回転軸の回転方向の変化に応じて前記２つの圧縮室のうちいずれか一方において選択的に圧縮動作が行われる容量可変回転圧縮機において、前記２つの圧縮室のうち空回転を行う側に吐出側の圧力を加える圧力調節装置を備え、前記圧力調節装置は、前記２つの圧縮室の外側の前記ハウジングに形成された流路切換室と、前記２つの圧縮室の各吸入口と前記流路切換室の両側が連通するように形成される第１および第２供給流路と、圧縮機の吐出側と前記流路切換室が連通するように形成される連結流路と、前記連結流路が前記２つの供給流路のうちいずれか一方に選択的に連通するように前記流路切換室内において流路を切り換える弁装置とを備えることを特徴とする。
【０００９】
また、前記弁装置は、前記流路切換室内に進退自在に設けられた弁部材を備えることを特徴とする。
【００１０】
さらに、前記弁装置は、前記流路切換室両端の内部にそれぞれ設けられ、中央に通孔が形成された２つの弁座をさらに備えることを特徴とする。
【００１１】
さらに、前記ハウジングは、内部に前記第１圧縮室が形成された第１ハウジングと、内部に前記第２圧縮室が形成された第２ハウジングと、前記第１ハウジングと前記第２ハウジングとの間に挟まれ、前記２つの圧縮室を仕切る中間板と、を備えることを特徴とする。
【００１２】
さらに、前記第１圧縮室の容量が前記第２圧縮室の容量よりも大きく形成され、前記流路切換室が前記第１ハウジングに形成され、前記流路切換室と前記第２圧縮室の吸入口間を連通させる前記第２供給流路が前記中間板を介して形成されることを特徴とする。
【００１３】
さらに、前記連結流路は、前記第１ハウジングに形成され、入口が前記密閉容器の内部と連通するように開かれたことを特徴とする。
【発明の効果】
【００１４】
本発明に係る容量可変回転圧縮機によれば、 回転軸の回転方向に応じて、相異なる容量を有する２つの圧縮室のうちいずれか一方においてのみ選択的に圧縮動作を行わせることにより、圧縮容量を正確に変えて吐出圧力を得ることができ、しかも前記回転圧縮機の圧縮容量を容易に制御することができる。
【００１５】
また、圧力調節装置の動作に応じて、２つの圧縮室のうち空回転を行う圧縮室側に吐出側の圧力が加えられて空回転を行う圧縮室の内部と密閉容器の内部との圧力差が生じないことから、空回転を行う側のベーンがローラを加圧したり、空回転を行う圧縮室の内部にオイルが流入されたりして回転抵抗が生じる問題を防ぐことができ、結果として圧縮機の能力損失を最少化させることができる。
【００１６】
さらに、本発明に係る容量可変回転圧縮機によれば、圧力調節装置の２つの供給流路が各圧縮室の各吸入口と連通するような仕組みとなっており、２つの吸入口の圧力差により圧力調節装置の弁部材が動作しつつ流路の切換えが行われることから、圧力調節装置の動作が円滑に行われる。
【発明を実施するための最良の形態】
【００１７】
以下、添付した図面に基づき、本発明に係る好ましい実施の形態を詳細に説明する。
【００１８】
本発明に係る容量可変回転圧縮機は、図１に示すように、密閉容器１０の内部に設けられるものであって、回転力を生じさせる上側の駆動部２０と、この上側駆動部２０と回転軸２１を介して連結される下側の圧縮部３０と、を備える。駆動部２０は、密閉容器１０の内面に固定される管状の固定子２２と、固定子２２の内部に回転自在に設けられ、その中心部の回転軸２１に結合される回転子２３と、を備える。この駆動部２０は、回転軸２１を正回転または逆回転させる。
【００１９】
圧縮部３０は、上部と下部に相異なる容積を有する管状の第１圧縮室３１と第２圧縮室３２がそれぞれ形成されたハウジングを備える。このハウジングは、相対的に内容積の大きい第１圧縮室３１が形成された上部の第１ハウジング３３ａ、第１圧縮室３１よりも内容積の小さい第２圧縮室３２が形成された下部の第２ハウジング３３ｂ、第１圧縮室３１の上部と第２圧縮室３２の下部を閉じると共に、回転軸２１を回転自在に支持するように第１ハウジング３３ａの上面と第２ハウジング３３ｂの下面にそれぞれ設けられる２つのフランジ３５,３６、及び２つの圧縮室３１,３２を仕切るように２つのハウジング３３ａ,３３ｂの間に設けられる中間板３４を備える。
【００２０】
第１圧縮室３１と第２圧縮室３２の内部の回転軸２１には、図１ないし図４に示すように、上部の第１偏心装置４０と下部の第２偏心装置５０がそれぞれ設けられ、これらの偏心装置４０,５０の外面には第１ローラ３７と第２ローラ３８がそれぞれ回転自在に結合される。また、第１圧縮室３１には第１吸入口６３と第１吐出口６５が形成され、第２圧縮室３２には第２吸入口６４と第２吐出口６６が形成され、そして各圧縮室３１,３２の吸入口６３,６４と吐出口６５,６６との間には各ローラ３７,３８の外面と接した状態で半径方向に進退しつつ圧縮動作を行う第１ベーン６１と第２ベーン６２が設けられる。これら２つのベーン６１,６２は、それぞれベーンスプリング６１ａ,６２ａを介して支持される。また、２つの圧縮室３１,３２の吸入口６３,６４と吐出口６５,６６は、ベーン６１,６２を基準として互いに反対方向に配される。ここで、詳細な図示は省略したが、２つの吐出口６５,６６は、ハウジングに形成される流路を介して密閉容器１０の内部と連通する。
【００２１】
２つの偏心装置４０,５０は、各圧縮室３１,３２に対応する位置の回転軸２１の外面に同じ方向に偏心さるべく形成される第１偏心カム４１と第２偏心カム５１を備え、２つの偏心カム４１,５１の外面に回転自在に結合されるものであって、上部の第１偏心ブッシュ４２と下部の第２偏心ブッシュ５２を備える。上部の第１偏心ブッシュ４２と下部の第２偏心ブッシュ５２は、図２に示すように、管状を呈する連結部４３を介して一体に連結され、偏心方向は互いに反対になる。そして、上述した２つのローラ３７,３８は、２つの偏心ブッシュ４２,５２の外面に回転自在に結合される。
【００２２】
さらに、図２及び図３に示すように、第１偏心カム４１と第２偏心カム５１との間の回転軸２１の外面には、偏心カム４１,５１と同方向に偏心された偏心部４４が設けられ、この偏心部４４には、回転軸２１の回転方向の変化に応じて、２つの偏心ブッシュ４２,５２を回転軸２１と偏心された状態で回転させるか、あるいは偏心が解除された状態で回転させるロック装置８０が設けられる。このロック装置８０は、偏心部４４の一側の外面に突出するように螺合されるロックピン８１と、回転軸２１の回転に応じて、ロックピン８１を偏心ブッシュ４２,５２の偏心位置と偏心解除位置にそれぞれロックさせる第１偏心ブッシュ４２と第２偏心ブッシュ５２を連結する連結部４３に周方向に長く形成されるロック溝８２とを備える。
【００２３】
このような構成は、回転軸２１の偏心部４４に結合されたロックピン８１が連結部４３のロック溝８２に入った状態で回転軸２１が回転する時、ロックピン８１が所定区間回動してロック溝８２の両端の２つのロック部８２ａ,８２ｂのうちいずれか一方にロックされることにより、２つの偏心ブッシュ４２,５２を回転軸２１と共に回転させる。また、このような構成は、ロックピン８１がロック溝８２の両側にある２つのロック部８２ａ,８２ｂのうちいずれか一方にロックされる時、２つの偏心ブッシュ４２,５２のうちいずれか一方を偏心された状態にし、かつ、他方を偏心解除された状態にすることにより、２つの圧縮室３１,３２のうちいずれか一方において圧縮動作を行わせ、他方において空回転を行わせると共に、回転軸２１の回転方向が変わる時に２つの偏心ブッシュ４２,５２の偏心状態を上述した場合と反対にすることができる。
【００２４】
さらに、本発明に係る容量可変回転圧縮機は、図１に示すように、吸入配管６９の冷媒を第１圧縮室３１の第１吸入口６３と第２圧縮室３２の第２吸入口６４のうち圧縮動作の行われる吸入口側にのみ吸入させるべく吸入流路を切り換える流路切換装置７０を備える。
【００２５】
この流路切換装置７０は、管状の胴体部７１と、胴体部７１内に設けられる弁装置と、を備える。また、胴体部７１の中央の入口７２には吸入配管６９が連結され、胴体部７１の両側の第１出口７３と第２出口７４には第１圧縮室３１の第１吸入口６３と第２圧縮室３２の第２吸入口６４にそれぞれ連結される２本の配管６７,６８が連結される。胴体部７１の内部の弁装置は、中央に設けられる管状の弁座７５と、この弁座７５の両端を開閉するために胴体部７１の両側の内部に進退自在に設けられる第１及び第２開閉部材７６,７７、及び２つの開閉部材７６,７７が連動するように２つの開閉部材７６,７７を連結する連結部材７８を備える。かかる流路切換装置７０は、第１圧縮室３１と第２圧縮室３２のうちいずれか一方において圧縮動作が行われる時、２つの出口７３,７４側に働く圧力差に応じて、胴体部７１の内部の第１開閉部材７６と第２開閉部材７７が圧力の低い側に移動しつつ自動的に吸入流路を切り換えるようにしている。すなわち、圧縮動作の行われる側に吸入流路を形成している。
【００２６】
さらに、本発明に係る回転圧縮機は、図１に示すように、２つの圧縮室３１,３２のうち空回転を行う圧縮室の内部に吐出側の圧力を加えることにより、空回転を行う圧縮室の内部と密閉容器１０の内部の圧力を同圧にする圧力調節装置９０を備える。
【００２７】
かかる圧力調節装置９０は、図７及び図８に示すように、第１ハウジング３３ａと第２ハウジング３３ｂのうち相対的に大きい体積を有する第１ハウジング３３ａに形成された流路切換室９１と、２つの圧縮室３１,３２の各吸入口６３,６４と流路切換室９１の両側が連通するように形成される第１および第２供給流路９２,９３と、密閉容器１０の内部と流路切換室９１の中間部分が連通するように形成される連結流路９４と、流路切換室９１内において流路を切り換える弁装置とを備える。
【００２８】
第１ハウジング３３ａに形成される流路切換室９１は、第１圧縮室３１の外側の第１吸入口６３の下部に形成され、流路切換室９１の上部は、第１供給流路９２を介して上部の第１吸入口６３と連通する。また、流路切換室９１の下部は、中間板３４を介して第２圧縮室３２の第２吸入口６４側に形成される第２供給流路９３を介して第２吸入口６４と連通する。そして、連結流路９４は、入口が密閉容器１０の内部の空間と連通するように開かれ、出口が流路切換室９１の中間部分と連通するように第１ハウジング３３ａに半径方向に形成される。このような構成は、密閉容器１０の内部の吐出圧力を連結流路９４を介して流路切換室９１の内部に供給した後、２つの吸入口６３,６４側に供給することを可能にする。ここで、流路切換室９１は、第２ハウジング３３ｂや中間板３４にも形成できるが、圧縮機を製造する過程で圧力調節装置９０を容易に構成するためには、流路切換室９１を相対的に大きい体積を有する第１ハウジング３３ａに形成することが良い。
【００２９】
流路切換室９１の内部の弁装置は、流路切換室９１の内部に進退自在に設けられる円板状の弁部材９５と、流路切換室９１の内部の上部と下部にそれぞれ設けられ、中央に通孔が形成された２つの弁座９６,９７とを備える。
【００３０】
これは、第１吸入口６３と第２吸入口６４の圧力差に応じて、流路切換室９１の内部の弁部材９５が上部または下部に移動して２つの供給流路９２,９３の一方を閉じると共に他方を開くことにより、圧縮機の吐出側の圧力を空回転を行う圧縮室の内部に加えることを可能にする。
【００３１】
次に、かかる容量可変回転圧縮機の動作について説明する。
【００３２】
回転軸２１がある方向に回転する時には、図３に示すように、第１圧縮室３１の第１偏心ブッシュ４２の外面が回転軸２１と偏心された状態でロックピン８１がロック溝８２の一方のロック部８２ａにロックされた状態となるため、第１ローラ３７が第１圧縮室３１の内面と接して回転を行いつつ第１圧縮室３１の圧縮動作が行われる。この時、第２圧縮室３２の場合には、図４に示すように、第１偏心ブッシュ４２と反対方向に偏心された第２偏心ブッシュ５２の外面が回転軸２１と同心状をなし、第２ローラ３８が第２圧縮室３２の内面と離れた状態となるため、空回転が行われる。また、第１圧縮室３１において圧縮動作が行われる時には、第１圧縮室３１の第１吸入口６３側に冷媒の吸入が行われるため、流路切換装置７０の動作に応じて第１圧縮室３１側にのみ冷媒が吸入できるように流路が切り換えられる。
【００３３】
このように、第１圧縮室３１が圧縮動作を行い、第２圧縮室３２が空回転を行う時には、図８に示すように、流路切換室９１の内部の弁部材９５が第１吸入口６３と第２吸入口６４との間の圧力差により上部に移動して第１吸入口６３側の弁座９６の通孔を閉じる。かかる現象は、第１圧縮室３１の圧縮動作が行われる時に第１吸入口６３に吸入力が働くため、弁部材９５が上部に移動して第１供給流路９２側の弁座９６の通孔を閉じる。この時、第２供給流路９３側の弁座９７の通孔は、連結流路９４を介して密閉容器１０の内部と連通するように開かれる。
【００３４】
このため、密閉容器１０の内部の吐出圧力は、連結流路９４、流路切換室９１、第２供給流路９３、及び第２吸入口６４を経て第２圧縮室３２に加えられる。そして、このような動作を通じて空回転を行う第２圧縮室３２の内部が密閉容器１０の内部と同じ圧力（吐出圧力）に保たれるため、第２ベーン６２が空回転を行う第２ローラ３８を加圧する不具合と第２圧縮室３２の内部へのオイルの流入現象が解消され、その結果、回転軸２１の回転が円滑になる。
【００３５】
回転軸２１が上述した場合と反対に回転する時には、図５に示すように、第１圧縮室３１の第１偏心ブッシュ４２の外面が回転軸２１と偏心解除された状態でロックピン８１がロック溝８２の他方のロック部８２ｂにロックされた状態となるため、第１ローラ３７が第１圧縮室３１の内面と離れた状態で回転を行い、第１圧縮室３１の空回転が行われる。この時、第２圧縮室３２の場合には、図６に示すように、第２偏心ブッシュ５２の外面が回転軸２１と偏心された状態となり、第２ローラ３８が第２圧縮室３２の内面と接して回転する状態となるため、第２圧縮室３２の圧縮が行われる。そして、第２圧縮室３２において圧縮動作が行われる時には、第２圧縮室３２の吸入口６４側に冷媒の吸入が行われるため、流路切換装置７０の動作により第２圧縮室３２側にのみ冷媒を吸入できるように吸入流路が切り換えられる。
【００３６】
さらに、このように第２圧縮室３２が圧縮動作を行い、第１圧縮室３１が空回転を行う時には、図９に示すように、流路切換室９１の内部の弁部材９５が第２吸入口６４の吸入力により第２供給流路９３側に移動するため、第２供給流路９３側の弁座９７の通孔が閉じられる。そして、第１吸入口６３と連通した第１供給流路９２側の弁座９６の通孔は連結流路９４と連通する。このため、この時には、第１圧縮室３１が密閉容器１０の内部圧力と同圧力に保たれるので、第１ベーン６１が空回転を行う第１ローラ３７を加圧せず、しかも第１圧縮室３１の内部へのオイルの流入現象が防がれる結果、回転軸２１の回転が円滑になる。
【図面の簡単な説明】
【００３７】
【図１】本発明に係る容量可変回転圧縮機の構成を示す縦断面図である。
【図２】本発明に係る容量可変回転圧縮機の偏心装置の構成を示す斜視図である。
【図３】本発明に係る容量可変回転圧縮機の回転軸が第１方向に回転する時の第１圧縮室の圧縮動作を示す断面図である。
【図４】本発明に係る容量可変回転圧縮機の回転軸が第１方向に回転する時の第２圧縮室の空回転の動作を示す断面図である。
【図５】本発明に係る容量可変回転圧縮機の回転軸が第２方向に回転する時の第１圧縮室の空回転動作を示す断面図である。
【図６】本発明に係る容量可変回転圧縮機の回転軸が第２方向に回転する時の第２圧縮室の圧縮動作を示す断面図である。
【図７】本発明に係る容量可変回転圧縮機の圧力調節装置の構成を示す斜視図である。
【図８】本発明に係る容量可変回転圧縮機の圧力調節装置の構成を示す断面図であって、第２圧縮室が空回転を行う状態を示している。
【図９】本発明に係る容量可変回転圧縮機の圧力調節装置の構成を示す断面図であって、第１圧縮室が空回転を行う状態を示している。
【符号の説明】
【００３８】
１０    密閉容器
２０    駆動部
２１    回転軸
２２    固定子
２３    回転子
３０    圧縮部
３１    第１圧縮室
３２    第２圧縮室
３３ａ  第１ハウジング
３３ｂ  第２ハウジング
３４    中間板
３５、３６  フランジ
３７    第１ローラ
３８    第２ローラ
４０    第１偏心装置
４１    第１偏心カム
４２    第１偏心ブッシュ
４３    連結部
４４    偏心部
５０    第２偏心装置
５１    第２偏心カム
５２    第２偏心ブッシュ
６１    第１ベーン
６１ａ、６２ａ  ベーンスプリング
６２    第２ベーン
６３    第１吸入室
６４    第２吸入室
６５    第１吐出口
６６    第２吐出口
６９    吸入配管
７０    流路切換装置
７１    胴体部
７２    入口
７３    第１出口
７４    第２出口
７５、９６、９７  弁座
７６    第１開閉部材
７７    第２開閉部材
７８    連結部材
８０    ロック装置
８１    ロックピン
８２    ロック溝
８２ａ、８２ｂ  ロック部
９０    圧力調節装置
９１    流路切換室
９２    第１供給流路
９３    第２供給流路
９４    連結流路
９５    弁部材
【図１】
2005106049.tif 000003
【図２】
2005106049.tif 000004
【図３】
2005106049.tif 000005
【図４】
2005106049.tif 000006
【図５】
2005106049.tif 000007
【図６】
2005106049.tif 000008
【図７】
2005106049.tif 000009
【図８】
2005106049.tif 000010
【図９】
2005106049.tif 000011